(57)【特許請求の範囲】
【請求項１】
それぞれマイクロホンを有する複数の子局と、同じくマイクロホンを有する一つの親局とにより構築され、少なくとも上記各子局の駆動電源として電池が用いられる双方向通信システムにおいて、
上記各子局は、同子局側の上記マイクロホンにより入力される音声信号を周波数変調して赤外線信号として送信する子側音声信号送信部と、上記親局からの赤外線信号を音声信号に復調する子側音声受信部と、上記電池から上記子側音声信号送信部に供給される電源をオンオフ制御する電源コントローラと、赤外発光素子と赤外受光素子とを備え上記親局との間で所定のデータ信号を赤外線信号として授受するとともに、上記電源コントローラを制御する子側制御部とを含み、
上記親局は、上記子側音声信号送信部からの赤外線信号を音声信号に復調する親側音声受信部と、同親局側のマイクロホンにより入力される音声信号を周波数変調して赤外線信号として送信する親側音声信号送信部と、赤外発光素子と赤外受光素子とを備え上記子局との間で所定のデータ信号を赤外線信号として授受し、上記子側制御部および上記電源コントローラを介して上記子側音声信号送信部に供給される電源をオンオフ制御する親側制御部とを含み、
上記子側音声信号送信部にて周波数変調される搬送波と、上記親側音声信号送信部にて周波数変調される搬送波とが予め互いに干渉しない異なる周波数とされており、
上記一つもしくは複数の子側制御部から上記親局に通話要求信号が出された場合、上記親側制御部は、特定の子局に対してのみ通話許可信号を送出し、上記特定の子局の上記子側制御部は、上記通話許可信号に基づいて上記電源コントローラをオンとして上記子側音声信号送信部に電源を供給し、上記特定の子局を通話可能状態とすることを特徴とする双方向通信システム。
【請求項２】
上記子側音声信号送信部にて搬送波を音声信号にて周波数変調するにあたって、上記各子局には互いに干渉しない異なる周波数の搬送波が予め割り当てられることを特徴とする請求項１に記載の双方向通信システム。
【請求項３】
上記子側音声受信部にはノイズ検出回路が設けられており、同ノイズ検出回路にて所定時間継続してノイズが検出された場合、上記子側制御部は上記電源コントローラをオフとして、上記子側音声信号送信部に対する電源供給を停止し、上記子側音声受信部に対してはその電源供給を停止するかもしくは音声出力にミュートをかけることを特徴とする請求項１または２に記載の双方向通信システム。
【請求項４】
マイクロホンを有する少なくとも一つの端末装置と、主送受信装置とにより構築され、上記端末装置の駆動電源として電池が用いられる双方向通信システムにおいて、
上記端末装置は、同端末装置側の上記マイクロホンにより入力される音声信号を周波数変調して赤外線信号として送信する端末側音声信号送信部と、上記主送受信装置からの赤外線信号を音声信号に復調する端末側音声受信部と、上記電池から上記端末側音声信号送信部および上記端末側音声受信部に供給される電源をオンオフ制御する電源コントローラと、電話番号入力手段もしくはリモコン操作手段として使用されるキーマトリクスと、上記キーマトリクスを上記電話番号入力手段による電話モード，上記リモコン操作手段によるリモコンモードのいずれかに切り替えるモード切替え手段と、上記電話番号入力手段から出力される電話番号に対応するダイヤル信号を生成し、そのダイヤル信号および上記リモコン操作手段によるリモコン信号を赤外発光素子により赤外線信号として送信するとともに、上記電源コントローラを制御する端末側制御部とを含み、
上記主送受信装置は、上記端末側音声信号送信部からの赤外線信号を音声信号に復調する主送受信側音声受信部と、電話回線からの音声信号を周波数変調して赤外線信号として送信する主送受信側音声信号送信部と、上記端末側制御部からのダイヤル信号を赤外受光素子により受信して、上記主送受信側音声受信部および上記主送受信側音声信号送信部を上記電話回線に接続するとともに、上記ダイヤル信号により相手方を呼び出し通話状態とする主送受信側制御部とを含み、
上記端末側音声信号送信部にて周波数変調される搬送波と、上記主送受信側音声信号送信部にて周波数変調される搬送波とが予め互いに干渉しない異なる周波数とされており、
上記端末側制御部は、上記モード切替え手段により上記リモコンモードが選択された場合には、上記電源コントローラをオフとして上記端末側音声信号送信部および上記端末側音声受信部に対する電源供給を停止することを特徴とする双方向通信システム。
【請求項５】
上記端末側制御部は、上記モード切替え手段が上記リモコンモードから上記電話モードに切り替えられたとき、上記電源コントローラをオンとして上記端末側音声信号送信部および上記端末側音声受信部に電源を供給するとともにオフフック信号を送出し、上記モード切替え手段が上記電話モードから上記リモコンモードに切り替えられたとき、オンフック信号を送出することを特徴とする請求項４に記載の双方向通信システム。
【請求項６】
上記端末側音声受信部にはノイズ検出回路が設けられており、同ノイズ検出回路にて所定時間継続してノイズが検出された場合、上記端末側制御部は上記電源コントローラをオフとして上記端末側音声信号送信部に対する電源供給を停止し、上記端末側音声受信部に対してはその電源供給を停止するかもしくは音声出力にミュートをかけることを特徴とする請求項４または５に記載の双方向通信システム。
【発明の詳細な説明】
【０００１】
【発明の属する技術分野】
本発明は音声を双方向で送信する双方向通信システムに関し、さらに詳しく言えば、秘話性に優れているとともに、周辺機器に電波障害などの悪影響を与えることのない、光による双方向通信システムに関するものである。
【０００２】
【従来の技術】
会議場などでは、多数の出席者と議長との間で、質疑応答が行われる場合がある。このような場合、広い会場内では、発言者の声が聞き取りにくいか、あるいは、声が伝わらないことがある。このようなとき、双方向通信システムが用いられる。
【０００３】
この双方向通信システムにより、発言者がマイクを用いて、音声を電波で相手側装置に送信する。相手側装置は、電波で運ばれてくる音声をスピーカから出力し、また、逆の通信もする。このような双方向通信システムを用いることにより、会議を円滑に運営することができる。
【０００４】
【発明が解決しようとする課題】
しかしながら、先に述べた技術には、マイクの発生する電波が外で傍受されるという課題がある。すなわち、マイクからの電波は、会議室の壁等から室外に漏れる。この電波を受信機を用いて受信すると、会議室内の様子を知ることが可能になる。特に、会議が秘密性の高いものである場合、電波傍受により、会議の内容が漏れる問題は深刻である。
【０００５】
また、会場内には、電波の影響を受けやすい機器が設置される場合がある。このような場合、マイクからの電波が機器の動作に影響を与える可能性もある。同様な問題は、例えば病院の病室でコードレス電話を使用する場合にも言える。すなわち、心電図測定機や心臓ペースメーカなどの精密機械に対する電波障害が問題となる。
【０００６】
本発明は、このような課題を解決するためになされたもので、その目的は、秘話性に優れ、しかも、周辺機器に電波障害などの悪影響を与えることのない双方向光コードレス通話システムを提供することにある。
【０００７】
【課題を解決するための手段】
上記目的を達成するために、本発明は、請求項１に記載されているように、それぞれマイクロホンを有する複数の子局と、同じくマイクロホンを有する一つの親局とにより構築され、少なくとも上記各子局の駆動電源として電池が用いられる双方向通信システムにおいて、上記各子局は、同子局側の上記マイクロホンにより入力される音声信号を周波数変調して赤外線信号として送信する子側音声信号送信部と、上記親局からの赤外線信号を音声信号に復調する子側音声受信部と、上記電池から上記子側音声信号送信部に供給される電源をオンオフ制御する電源コントローラと、赤外発光素子と赤外受光素子とを備え上記親局との間で所定のデータ信号を赤外線信号として授受するとともに、上記電源コントローラを制御する子側制御部とを含み、上記親局は、上記子側音声信号送信部からの赤外線信号を音声信号に復調する親側音声受信部と、同親局側のマイクロホンにより入力される音声信号を周波数変調して赤外線信号として送信する親側音声信号送信部と、赤外発光素子と赤外受光素子とを備え上記子局との間で所定のデータ信号を赤外線信号として授受し、上記子側制御部および上記電源コントローラを介して上記子側音声信号送信部に供給される電源をオンオフ制御する親側制御部とを含み、上記子側音声信号送信部にて周波数変調される搬送波と、上記親側音声信号送信部にて周波数変調される搬送波とが予め互いに干渉しない異なる周波数とされており、上記一つもしくは複数の子側制御部から上記親局に通話要求信号が出された場合、上記親側制御部は、特定の子局に対してのみ通話許可信号を送出し、上記特定の子局の上記子側制御部は、上記通話許可信号に基づいて上記電源コントローラをオンとして上記子側音声信号送信部に電源を供給し、上記特定の子局を通話可能状態とすることを特徴としている。
【０００８】
この場合、請求項２に記載されているように、上記子側音声信号送信部にて搬送波を音声信号にて周波数変調するにあたって、上記各子局に対して互いに干渉しない異なる周波数の搬送波を予め割り当てることが好ましく、これによれば、各子局間における相互干渉をも防止することができる。
【０００９】
また、請求項３に記載されているように、上記子側音声受信部にノイズ検出回路が設け、同ノイズ検出回路にて所定時間継続してノイズが検出された場合、上記子側制御部により上記電源コントローラをオフとして、上記子側音声信号送信部対する電源供給を停止し、また、上記子側音声受信部に対しては、その電源供給を停止するかもしくは音声出力にミュートをかけることが好ましい。これによれば、電池を電源とする場合、電池の無用な消費を防止することができる。
【００１０】
この双方向通信システムは例えば会議場などに適用されるが、上記一つもしくは複数の子側制御部から上記親局に通話要求（発言要求）信号が出された場合において、上記親側制御部から特定の子局に対してのみ、その電源コントローラをオンとして同子局を通話可能状態とする通話許可信号が送出されるため、会議の議事進行を整然と行なうことができる。
【００１１】
さらに、上記親側音声受信部に、上記子局との通話内容を外部記録手段に記録するための出力端子を設けることにより、例えばテープレコーダなどに会議の議事録をそのままとることができる。
【００１２】
また、上記目的を達成するため、本発明は、請求項４に記載されているように、マイクロホンを有する少なくとも一つの端末装置と、主送受信装置とにより構築され、上記端末装置の駆動電源として電池が用いられる双方向通信システムにおいて、上記端末装置は、同端末装置側の上記マイクロホンにより入力される音声信号を周波数変調して赤外線信号として送信する端末側音声信号送信部と、上記主送受信装置からの赤外線信号を音声信号に復調する端末側音声受信部と、上記電池から上記端末側音声信号送信部および上記端末側音声受信部に供給される電源をオンオフ制御する電源コントローラと、電話番号入力手段もしくはリモコン操作手段として使用されるキーマトリクスと、上記キーマトリクスを上記電話番号入力手段による電話モード，上記リモコン操作手段によるリモコンモードのいずれかに切り替えるモード切替え手段と、上記電話番号入力手段から出力される電話番号に対応するダイヤル信号を生成し、そのダイヤル信号および上記リモコン操作手段によるリモコン信号を赤外発光素子により赤外線信号として送信するとともに、上記電源コントローラを制御する端末側制御部とを含み、上記主送受信装置は、上記端末側音声信号送信部からの赤外線信号を音声信号に復調する主送受信側音声受信部と、電話回線からの音声信号を周波数変調して赤外線信号として送信する主送受信側音声信号送信部と、上記端末側制御部からのダイヤル信号を赤外受光素子により受信して、上記主送受信側音声受信部および上記主送受信側音声信号送信部を上記電話回線に接続するとともに、上記ダイヤル信号により相手方を呼び出し通話状態とする主送受信側制御部とを含み、上記端末側音声信号送信部にて周波数変調される搬送波と、上記主送受信側音声信号送信部にて周波数変調される搬送波とが予め互いに干渉しない異なる周波数とされており、上記端末側制御部は、上記モード切替え手段により上記リモコンモードが選択された場合には、上記電源コントローラをオフとして上記端末側音声信号送信部および上記端末側音声受信部に対する電源供給を停止することを特徴としている。
【００１３】
また、請求項４に記載されているように、上記端末側制御部に、上記モード切替え手段が上記リモコンモードから上記電話モードに切り替えられたとき、上記電源コントローラをオンとして上記端末側音声信号送信部および上記端末側音声受信部に電源を供給するとともにオフフック信号を送出し、上記モード切替え手段が上記電話モードから上記リモコンモードに切り替えられたとき、オンフック信号を送出する機能を持たせることにより、電話をかける操作をより簡単にすることができる。
【００１４】
さらに、上記請求項４に係る双方向通信システムにおいても、請求項４に記載されているように、上記端末側音声受信部にノイズ検出回路を設け、同ノイズ検出回路にて所定時間継続してノイズが検出された場合には、上記端末側制御部により上記電源コントローラをオフとして、上記端末側音声信号送信部に対する電源供給を停止し、また、上記端末側音声受信部に対しては、その電源供給を停止するかもしくは音声出力にミュートをかけることが好ましく、これによれば、電池を電源とする場合の電池の無用な消費を防止することができる。
【００１５】
【発明の実施の形態】
次に、本発明の技術的思想をよりよく理解するために、図面を参照しながら、その実施の態様について説明する。
【００１６】
図１には実施例１としての双方向通信システムが示されている。この双方向通信システムは、従送受信装置（子局）として出席者用送受信装置１１，…，１ｎと、主送受信装置（親局）として議長用送受信装置２とを備えている。この場合、出席者用送受信装置１１，…，１ｎは、例えば、会議室内の出席者用の各テーブルにそれぞれ設置され、議長用送受信装置２は、議長用テーブルに設置される。出席者用の各テーブルには、「１」、「２」、…、「ｎ」の着席番号があらかじめ設定され、この実施例１では、着席番号「１」、「２」、…、「ｎ」を出席者用送受信装置１１，…，１ｎに設定する識別番号とする。
【００１７】
各出席者用送受信装置は１１，…，１ｎ同一構成であるため、出席者用送受信装置１１をそれらの代表として説明する。出席者用送受信装置１１は、図２に示すように、議長用送受信装置２に対して赤外線信号ａを送信する音声送信部１１と、その電源部１２と、議長用送受信装置２からの赤外線信号ｂを受信する音声受信部１３と、議長用送受信装置２に赤外線信号ｃを送信するとともに、議長用送受信装置２からの赤外線信号ｄを受信する制御部１４とを備える。
【００１８】
また、議長用送受信装置２は、出席者用送受信装置１１からの赤外線信号ａを受信する音声受信部２１と、出席者用送受信装置１１に対して赤外線信号ｂを送信する音声送信部２２と、出席者用送受信装置１１からの赤外線信号ｃを受信するとともに、出席者用送受信装置１１に赤外線信号ｄを送信する制御部２３を備える。
【００１９】
次に、図３を参照しながら、各部の構成をより詳細に説明する。出席者用送受信装置１１の音声送信部１１は、マイク１１Ａ、増幅器１１Ｂ，１１Ｄ、ＦＭ変調器１１Ｃおよび音声用赤外発光素子１１Ｅを備える。
【００２０】
音声送信部１１のマイク１１Ａは、音声を電気信号の音声信号に変換して、増幅器１１Ｂに加える。増幅器１１Ｂは、マイク１１Ａからの低周波の音声信号を増幅する低周波増幅器であり、増幅した音声信号をＦＭ変調器１１Ｃに加える。ＦＭ変調器１１Ｃは、所定周波数ｆ１１の高周波の搬送波信号（キャリア）を発振し、増幅器１１Ｂからの音声信号を受け取ると、この音声信号で搬送波信号を周波数変調し、中心周波数ｆ１１の送信信号を生成する。ＦＭ変調器１１Ｃは、こうして生成した高周波の送信信号を増幅器１１Ｄに送る。
【００２１】
増幅器１１Ｄは、ＦＭ変調器１１Ｃからの高周波の送信信号を増幅する高周波増幅器であり、増幅した送信信号を音声用赤外発光素子１１Ｅに送る。音声送信部１１の赤外発光素子１１Ｅは、増幅器１１Ｄから送信信号を受け取ると、この送信信号を赤外線に変換し、キャリア周波数がｆ１１である赤外線信号ａを議長用送受信装置２に送信する。
【００２２】
出席者用送受信装置１１の音声受信部１３は、音声用赤外受光素子１３Ａ、ＦＭ復調器１３Ｂ、ボリューム１３Ｃ、増幅器１３Ｄ、スピーカ１３Ｅ、ノイズ検出回路１３Ｆおよびミュート回路１３Ｇを備える。
【００２３】
赤外受光素子１３Ａは、議長用送受信装置２からの赤外線信号ｂを受信すると、その赤外線信号ｂを電気信号に変換してＦＭ復調器１３Ｂに送る。ＦＭ復調器１３Ｂは、議長用送受信装置２の後述するＦＭ変調器２２Ｄに対応して設けられている。
【００２４】
すなわち、ＦＭ復調器１３Ｂは、ＦＭ変調器２２Ｄからの、中心周波数ｆ２の周波数変調された受信信号を復調して、音声信号を再生する。ＦＭ復調器１３Ｂは、再生した音声信号をボリューム１３Ｃとノイズ検出回路１３Ｆとに送る。
【００２５】
ボリューム１３Ｃは、ＦＭ復調器１３Ｂからの音声信号のレベルを調整する。増幅器１３Ｄは、ボリューム１３Ｃから受け取った低周波の音声信号を電力増幅し、増幅した音声信号でスピーカ１３Ｅを駆動する。また、増幅器１３Ｄは、ミュート回路１３Ｇからミュート信号を受け取ると、スピーカ１３Ｅに対する信号出力を停止し、スピーカ１３Ｅを無音状態にする。スピーカ１３Ｅはイヤホンであってもよい。
【００２６】
ノイズ検出回路１３Ｆは、ＦＭ復調器１３Ｂからのノイズを検出する。この場合のノイズは、ＦＭ復調器１３Ｂに加えられる音声信号が途切れた状態のとき、もしくは出席者用送受信装置１１の感度が低下している状態のとき、ＦＭ復調器１３Ｂから発生される離調ノイズである。
【００２７】
ノイズ検出回路１３Ｆは、ノイズを所定時間継続して検出すると、ミュート回路１３Ｇに検出信号を送る。ミュート回路１３Ｇは、ノイズ検出回路１３Ｆから検出信号を受け取ると、増幅器１３Ｄにミュート信号を送る。
【００２８】
出席者用送受信装置１１の電源部１２は、電池１２Ａ、スイッチ１２Ｂおよび電源コントローラ１２Ｃを備える。出席者によりスイッチ１２Ｂがオンにされると、電池１２Ａからの電源が音声送信部１１、音声受信部１３および制御部１４に与えられ、その各部が動作状態になる。なお、音声送信部１１に対しては電源コントローラ１２Ｃを介して電源が与えられる。
【００２９】
電源コントローラ１２Ｃは、制御回路１４Ｂからの駆動信号を受け取っている間だけ、その電源出力端子１２Ｃ１から増幅器１１Ｂ，１１Ｄ、ＦＭ変調器１１Ｃおよび赤外発光素子１１Ｅに電源を供給し、音声送信部１１を動作状態にする。
【００３０】
出席者用送受信装置１１の制御部１４は、発言要求（通話要求）ボタン１４Ａ、制御回路１４Ｂ、データ送信用赤外発光素子１４Ｃおよびデータ受信用赤外受光素子１４Ｄを備える。データ送信用赤外発光素子１４Ｃは、制御回路１４Ｂからデータ信号を受け取ると、このデータ信号を赤外線に変換し、その赤外線信号ｃを議長用送受信装置２に向けて送信する。データ受信用赤外受光素子１４Ｄは、議長用送受信装置２からの赤外線信号ｄを受信すると、その赤外線信号ｄを電気信号に変換して制御回路１４Ｂに送る。
【００３１】
制御回路１４Ｂは、発言要求ボタン１４Ａの操作を検出すると、あらかじめ記憶されている当該出席者用送受信装置１１に固有の識別番号「１」と発言要求信号（通話要求信号）とをデジタルのデータ信号として赤外発光素子１４Ｃに送る。
【００３２】
また、制御回路１４Ｂは、赤外受光素子１４Ｄにて受信されたデータ信号中に含まれている識別番号と、当該出席者用送受信装置１１の識別番号「１」と比較し、それらが一致している場合には、赤外受光素子１４Ｄから次のデータ信号を受け取る。
【００３３】
そして、次のデータ信号に発言許可信号（通話許可信号）が含まれていると、制御回路１４Ｂは、電源コントローラ１２Ｃに対して駆動信号を送り、音声送信部１１を動作状態にする。なお、制御回路１４Ｂは、赤外受光素子１４Ｄから発言停止信号を受け取ると、電源コントローラ１２Ｃをオフとする。
【００３４】
出席者用送受信装置１２，…，１ｎは、各制御回路１４Ｂが記憶している識別番号が「２」、…、「ｎ」である点と、各ＦＭ復調器１１Ｃが周波数ｆ１２，…，ｆ１ｎの搬送波を発振する点を除いて出席者用送受信装置１１と同じであるので、その説明を省略する。なお、キャリア周波数ｆ１１，…，ｆ１ｎは、例えば２．３ＭＨｚ，３．２ＭＨｚ，３．７ＭＨなどのように、互いに数百ｋＨｚ程度離れているのが理想的である。
【００３５】
次に、議長用送受信装置２について説明する。音声受信部２１は、音声用赤外受光素子２１Ａ、ＦＭ復調器２１Ｂ１，…，２１Ｂｎ、ボリューム２１Ｃ１，…，２１Ｃｎ、増幅器２１Ｄ，２１Ｇ、出力端子２１Ｅおよびマイク２１Ｆを備える。
【００３６】
音声用赤外受光素子２１Ａは、赤外線信号ａを受信すると、その赤外線信号ａを電気信号に変換して、ＦＭ復調器２１Ｂ１，…，２１Ｂｎに送る。各ＦＭ復調器２１Ｂ１，…，２１Ｂｎは、出席者用送受信装置１１，…，１ｎに対応して設けられている。
【００３７】
すなわち、ＦＭ復調器２１Ｂ１は、出席者用送受信装置１１からの中心周波数ｆ１１の受信信号を復調して、音声信号を再生する。同じように、ＦＭ復調器２１Ｂ２，…，２１Ｂｎは、出席者用送受信装置１２，…，１ｎからの中心周波数ｆ１２，…，ｆ１ｎの受信信号をそれぞれ復調して、音声信号を再生する。ボリューム２１Ｃ１，…，２１Ｃｎは、ＦＭ復調器２１Ｂ１，…，２１Ｂｎからの音声信号のレベルを調節する。
【００３８】
増幅器２１Ｄは、ボリューム２１Ｃ１，…，２１Ｃｎから受け取った音声信号および増幅器２１Ｇから受け取った音声信号を混合して増幅する混合（ＭＩＸ）増幅器であり、生成した音声信号を出力端子２１Ｅ、ボリューム２２ＡおよびＦＭ変調器２２Ｄにそれぞれ送る。
【００３９】
出力端子２１Ｅは、テープレコーダなどの記録装置用の端子である。すなわち、出力端子２１Ｅは会議の議事録用の端子である。マイク２１Ｆは、議長の声を電気信号に変換して増幅器２１Ｇに送る。増幅器２１Ｇは、マイク２１Ｆからの低周波の音声信号を増幅する低周波増幅器であり、増幅した音声信号をＭＩＸ増幅器２１Ｄに送る。
【００４０】
音声送信部２２は、ボリューム２２Ａ、増幅器２２Ｂ、スピーカ２２Ｃ、ＦＭ変調器２２Ｄ、増幅器２２Ｅおよび音声用赤外発光素子２２Ｆを備える。ボリューム２２Ａは、ＭＩＸ増幅器２１Ｄからの音声信号のレベルを調節し、増幅器２２Ｂを介してスピーカ２２Ｃを駆動する。スピーカ２２Ｃはイヤホンであってもよい。
【００４１】
音声送信部２２のＦＭ変調器２２Ｄは、周波数ｆ２の高周波の搬送波信号（キャリア）を発振する。この搬送波信号の周波数ｆ２は、出席者用送受信装置１１，…，１ｎの各ＦＭ変調器１１Ｃが使用する周波数ｆ１１，…，ｆ１ｎと異なるように設定されている。設定の際に、周波数ｆ２が周波数ｆ１１，…，ｆ１ｎと数百ｋＨｚ程度離れているのが理想的である。
【００４２】
ＦＭ変調器２２Ｄは、ＭＩＸ増幅器２１Ｄから音声信号を受け取ると、この音声信号で搬送波信号を周波数変調し、中心周波数ｆ２の送信信号を生成する。ＦＭ変調器２２Ｄは、こうして生成した高周波の送信信号を高周波増幅器２２Ｅを介して音声用赤外発光素子２２Ｆに送出する。
【００４３】
音声用赤外発光素子２２Ｆは、増幅器２２Ｅからの送信信号を赤外線に変換し、その赤外線信号ｂを出席者側に送信する。この赤外線信号ｂは、キャリア周波数がｆ２の赤外線である。
【００４４】
議長用送受信装置２の制御部２３は、データ受信用赤外受光素子２３Ａ、データ送信用赤外発光素子２３Ｂ、制御回路２３Ｃ、表示器２３Ｄおよび発言許可用ボタン２３Ｅを備える。
【００４５】
データ受信用赤外受光素子２３Ａは、出席者側からの赤外線信号ｃを受信すると電気信号に変換して、そのデータ信号を制御回路２３Ｃに送る。一方、データ送信用赤外発光素子２３Ｂは、制御回路２３Ｃからデータ信号を受け取ると、このデータ信号を赤外線に変換して、その赤外線信号ｄを出席者側に送信する。
【００４６】
表示器２３Ｄは、図５に例示されているように、会議室の出席者の各テーブルに対応する表示ボタンＴＢ１，…，ＴＢｎを備える。表示ボタンＴＢ１，…，ＴＢｎには、着席番号「１」、…「ｎ」が印字され、表示器２３Ｄは、制御回路２３Ｃからの指示を受けると、例えば指定された表示ボタンの色を変えて、この表示ボタンを目立つように表示する。また、表示ボタンＴＢ１，…，ＴＢｎが押しボタンになっていて、発言許可用ボタン２３Ｅを構成する。
【００４７】
制御回路２３Ｃは、出席者用送受信装置１１，…，１ｎの各々に設定されている識別番号と、各識別番号に対応する着席番号とをあらかじめ記憶している。制御回路２３Ｃは、赤外受光素子２３Ａにて出席者側からの発言要求信号を受信すると、そのデータ信号が示す識別番号に対応する着席番号に基づいて表示器２３Ｄ内の表示ボタンＴＢを点灯させる。
【００４８】
そして、議長によりその表示ボタンＴＢが押されると、制御回路２３Ｃは、発言要求があった出席者用送受信装置に発言許可信号を送信するとともに、残りの出席者用送受信装置に対しては、それらの各識別信号に発言停止信号をそれぞれ付加して送信する。
【００４９】
次に、この実施例１の動作について説明する。会議が開かれ、各出席者が指定された席につき、電源スイッチ１２Ｂを操作すると、電池１２Ａからの電源が音声受信部１３および制御部１４に加えられ、これらの各部が動作状態になる。
【００５０】
そして、例えば着席番号「１」の出席者が、発言をするために、発言要求ボタン１４Ａをオンにすると、制御回路１４Ｂは、その出席者用送受信装置１１の識別番号「１」と発言要求信号とを赤外発光素子１４Ｃより赤外線信号ｃのデータ信号として議長用送受信装置２に向けて送信する。
【００５１】
この赤外線信号ｃが議長用送受信装置２の赤外受光素子２３Ａにて受信されると、議長用送受信装置２側の制御回路２３Ｃは、表示器２３Ｄ内からそのデータ信号が示す識別番号「１」に対応する着席番号を選択してその表示ボタンＴＢ１を点灯させる。なお、他の出席者例えば出席者用送受信装置１３から同様に発言要求があった場合には、その出席者の表示ボタンＴＢ３も点灯される。
【００５２】
そして、議長が表示器２３Ｄの表示を見て、例えば着席番号「１」の出席者に発言権を与えるため、表示ボタンＴＢ１を操作すると、制御回路２３Ｃは、赤外発光素子２３Ｂより出席者用送受信装置１１に対して、その識別番号「１」とともに発言許可信号を赤外線信号ｄとして送信する。
【００５３】
これと同時に、制御回路２３Ｃは、残りの出席者用送受信装置１２，…，１ｎに対しては、それらの各識別番号「２」、…、「ｎ」に発言停止信号をそれぞれ付加し、赤外線信号ｄとして送信する。これにより、残りの出席者用送受信装置１２，…，１ｎにおいては、電源コントローラ１２Ｃがオフとされ、発言することができない状態となる。
【００５４】
出席者用送受信装置１１の赤外受光素子１４Ｄにて、その識別番号「１」と発言許可信号とが受信されると、制御回路１４Ｂは、電源コントローラ１２Ｃに対して駆動信号を送る。これにより、電源コントローラ１２Ｃから音声送信部１１に電源が供給され、音声送信部１１が動作状態となり、出席者用送受信装置１１のマイク１１Ａが利用可能になる。
【００５５】
そして、着席番号「１」の出席者が発言をすると、その音声は、マイク１１Ａから増幅器１１Ｂを介してＦＭ変調器１１Ｃに与えられる。ＦＭ変調器１１Ｃは、この音声信号で周波数ｆ１１の搬送波信号を周波数変調し、中心周波数が周波数ｆ１１の送信信号を生成する。
【００５６】
この送信信号は、増幅器１１Ｄを介して音声用赤外発光素子１１Ｅに与えられ、これにより、赤外発光素子１１Ｅから議長用送受信装置２に向けて、中心周波数が周波数ｆ１１である赤外線信号ａが送出される。
【００５７】
この赤外線信号ａが議長用送受信装置２の赤外受光素子２１Ａにて受信されると、同赤外線信号ａは、ＦＭ復調器２１Ｂ１，…，２１Ｂｎに送られる。この実施例において、これらのＦＭ復調器の中でＦＭ復調器２１Ｂ１が、周波数ｆ１１の受信信号用であるので、赤外線信号ａは同ＦＭ復調器２１Ｂ１にて復調され、音声信号に再生される。この音声信号は、ボリューム２１Ｃ１を経てＭＩＸ増幅器２１Ｄに送られる。
【００５８】
また、議長の発言はマイク２１Ｆより入力され、この音声信号も増幅器２１Ｇを介してＭＩＸ増幅器２１Ｄに加えられる。ＭＩＸ増幅器２１Ｄから出力される音声信号は、出力端子２１Ｅから図示しないテープレコーダなどの録音装置に記録されるとともに、ボリューム２２ＡおよびＦＭ変調器２２Ｄに送られる。
【００５９】
ボリューム２２Ａにてレベル調整された音声信号は増幅器２２Ｂを介してスピーカ２２Ｃから放音され、議長に伝えられる。また、ＦＭ変調器２２Ｄにおいて、周波数ｆ２の搬送波信号がＭＩＸ増幅器２１Ｄからの音声信号により周波数変調され、中心周波数が周波数ｆ２の送信信号が生成される。
【００６０】
この送信信号は増幅器２２Ｅを介して音声用赤外発光素子２２Ｆから赤外線信号ｂとして各出席者側に送信される。この場合、赤外線信号ｂの中心周波数は周波数ｆ２であり、出席者用送受信装置１１，…，１ｎが使用する周波数ｆ１１，…，ｆ１ｎと異なるため、赤外線信号ａと赤外線信号ｂとが同じタイミングで送信されても、２つの信号ａ，ｂが互いに干渉することはない。
【００６１】
各出席者用送受信装置１１，…，１ｎにおいて、その音声用赤外受光素子１３Ａにて赤外線信号ｂが受信されると、その赤外線信号ｂはＦＭ復調器１３Ｂで音声信号に復調され、ボリューム１３Ｃを経て増幅器１３Ｄに送られ、スピーカ１３Ｅより放音される。これにより、各出席者は着席番号「１」の出席者と議長とのやりとりを聞くことができる。
【００６２】
ところで、議長席側から赤外線信号ｂが送信されていないときや、出席者用送受信装置の感度が低下したとき、ＦＭ復調器１３Ｂから離調ノイズが発生する。ノイズ検出回路１３Ｆは、その離調ノイズが所定時間継続して発生している場合には、ミュート回路１３Ｇにノイズ検出信号を送出する。
【００６３】
ミュート回路１３Ｇは、このノイズ検出信号を受け取ると、スピーカ１３Ｅの増幅器１３Ｄにミュート信号を送る。増幅器１３Ｄは、このミュート信号によりスピーカ１３Ｅに対する信号を出力を中断する。これにより、ミュートがかかり、ＦＭ復調器１３Ｂからのノイズが増幅されて、スピーカ１３Ｅから出力されることを防ぐようにしている。
【００６４】
また、このミュート信号は制御回路１４Ｂにも送られる。制御回路１４Ｂは、このミュート信号を受けて電源コントローラ１２Ｃを強制的にオフとする。これにより、発言権が与えられている出席者の音声送信部１１は休止状態となり、電池の無用な消耗が防止される。この場合、増幅器１３Ｄにミュートをかける代わりに、音声受信部１３に対してもその電源供給を停止するようにしてもよい。なお、制御回路１４Ｂは議長からの発言停止信号を受けた場合にも、電源コントローラ１２Ｃを強制的にオフとする。
【００６５】
この実施例１によれば、出席者用送受信装置１１，…，１ｎと議長用送受信装置２との間の通信が赤外線を用いて行われるため、その通話内容が会議場外で傍受されることを防ぐことができる。
【００６６】
また、音声を送るための搬送波信号の周波数を異なるものにし、かつ、周波数変調で送信するので、赤外線信号が互いに干渉することを防ぎ、かつ、高品質で音声を送信することができる。しかも、赤外線による通信であるため、電波に敏感な機器に影響を与えることもない。
【００６７】
なお、上記実施例１の出席者と議長とのやりとりはあくまでも一例であって、出席者の発言要求およびこれに対する議長の発言許可にどのような条件を持たせるかは、会議の性質などにより、任意に定めることができる。
【００６８】
次に、図６ないし図８を参照しながら、本発明の実施例２について説明する。この実施例２としての双方向通信システムは、端末装置（子局）としてハンディ型端末３と主送受信装置（親局）として本体送受話器４とを備えている。
【００６９】
この実施例２において、ハンディ型端末３は、使用者に操作される例えば携帯型端末であってよく、本体送受話器４は、ハンディ型端末３が使用される部屋に設置されて、電話回線１０１や電話機１０２に接続されている。
【００７０】
ハンディ型端末３は、音声送信部３１、電源部３２、制御部３３および音声受信部３４を備え、本体送受話器４は、音声受信部４１、制御部４２、音声送信部４３および回線部４４を備えている。
【００７１】
図７に例示されているように、ハンディ型端末３の音声送信部３１は、マイク３１Ａ、増幅器３１Ｂ，３１Ｄ、ＦＭ変調器３１Ｃおよび赤外発光素子３１Ｅを備える。これらの中で、マイク３１Ａおよび増幅器３１Ｂ，３１Ｄは、図３のマイク１１Ａおよび増幅器１１Ｂ，１１Ｄとそれぞれ同じであるので、説明を省略する。
【００７２】
音声送信部３１のＦＭ変調器３１Ｃは、周波数ｆ３の高周波の搬送波信号を発振し、増幅器３１Ｂからの音声信号でその搬送波信号を周波数変調し、中心周波数ｆ３の送信信号を生成する。この送信信号は増幅器３１Ｄを介して音声用赤外発光素子３１Ｅに与えられ、同赤外発光素子３１Ｅからキャリア周波数がｆ３である赤外線信号ｅが本体送受話器４に向けて送出される。
【００７３】
電源部３２は、電池３２Ａ、その電源スイッチ３２Ｂおよび電源コントローラ３２Ｃを備えている。使用者により電源スイッチ３２Ｂがオンされると、電池３２Ａからの電源が電源コントローラ３２Ｃと制御部３３とに供給される。
【００７４】
この実施例２において、電源コントローラ３２Ｃは制御回路３３Ｃによりそのオンオフが制御され、同制御回路３３Ｃから駆動信号（オン信号）を受け取っている間だけ、電池３２Ａからの電源を電源端子３２Ｃ１に出力する。
【００７５】
制御部３３には、リモートコントローラ（略称、リモコン）としてのキーマトリックス３３Ａと、リモコン／ＴＥＬ（電話）切替スイッチ３３Ｂと、制御回路３３Ｃと、データ送信用赤外発光素子３３Ｄとが設けられている。
【００７６】
すなわち、キーマトリックス３３Ａは、電話、ＴＶ、ＶＴＲ用である「０」〜「９」のテンキーを含む押しボタンや、ＴＶやＶＴＲ専用の操作に係る押しボタンをそれぞれ備える。
【００７７】
また、リモコン／ＴＥＬ切替スイッチ３３Ｂは、このハンディ型端末３をＴＶ（テレビジョン）やＶＴＲ（ビデオテープレコーダ）用リモコンとして使用するためのリモコンモードと、このハンディ型端末３をコードレス電話機として使用するための電話モードとを切り替えるためのものである。常態において、このスイッチ３３Ｂはリモコンモードになっている。
【００７８】
制御回路３３Ｃは、リモコン／ＴＥＬ切替スイッチ３３Ｂがリモコンモードにされたときには、電池３２Ａの無用な消耗を防ぐために、電源コントローラ３２Ｃをオフとする。また、制御回路３３Ｃは、リモコン／ＴＥＬ切替スイッチ３３Ｂがリモコンモードとされたとき、キーマトリックス３３Ａの押しボタン操作に応じてリモコン信号を生成し、そのリモコン信号をデータ信号として赤外発光素子３３Ｄに送出する。
【００７９】
また、制御回路３３Ｃは、リモコン／ＴＥＬ切替スイッチ３３Ｂが電話モードにされると、電源コントローラ３２Ｃをオンにするとともに、キーマトリックス３３Ａの押しボタン操作に応じて、それに対応する電話番号をデータ信号として赤外発光素子３３Ｄに送る。赤外発光素子３３Ｄは、制御回路３３Ｃからデータ信号を受け取ると、このデータ信号を赤外線に変換して、その赤外線信号ｆを本体送受話器４に向けて送信する。
【００８０】
音声受信部３４は、音声用赤外受光素子３４Ａ、ＦＭ復調器３４Ｂ、ボリューム３４Ｃ、増幅器３４Ｄ、スピーカ３４Ｅ、ノイズ検出回路３４Ｆ、ミュート回路３４Ｇおよび遅延タイマ３４Ｈをそれぞれ備えている。この実施例２において、ボリューム３４Ｃ、増幅器３４Ｄ、スピーカ３４Ｅ、ノイズ検出回路３４Ｆおよびミュート回路３４Ｇは、図３のボリューム１３Ｃ、増幅器１３Ｄ、スピーカ１３Ｅ、ノイズ検出回路１３Ｆおよびミュート回路１３Ｇと同じであるので、それらの説明を省略する。
【００８１】
音声受信部３４の遅延タイマ３４Ｈは、ミュート回路３４Ｇからミュート信号を受け取ってから所定時間が経過すると、制御回路３３Ｃにトリガー信号を送出する。すなわち、ＦＭ復調器３４Ｂから所定時間継続して離調ノイズが発生した場合に、制御回路３３Ｃにトリガー信号を送出し、電源コントローラ３２Ｃをオフとする。
【００８２】
次に、図８に基づいて本体送受話器４の各部の構成を説明する。音声受信部４１は、音声用赤外受光素子４１Ａ、ＦＭ復調器４１Ｂ、ボリューム４１Ｃおよび増幅器４１Ｄを備えている。
【００８３】
赤外受光素子４１Ａは、ハンディ型端末３からの赤外線信号ｅ（中心周波数ｆ３）を電気信号に変換する。この受信信号は、次段のＦＭ復調器４１Ｂにおいて、音声信号に再生され、ボリューム４１Ｃおよび増幅器４１Ｄを介してスピーチネットワーク４２Ｄに送られる。
【００８４】
本体送受話器４の制御部４２は、データ受信用赤外受光素子４２Ａ、制御回路４２Ｂ、ダイヤラー４２Ｃおよびスピーチネットワーク４２Ｄを備えており、赤外受光素子４２Ａは、ハンディ型端末３からの赤外線信号ｆ（データ信号）を受信し電気信号に変換して、そのデータ信号を制御回路４２Ｂに送る。
【００８５】
制御回路４２Ｂは、データ信号が電話番号を示す信号である場合には、その電話番号信号をダイヤラー４２Ｃに送る。ダイヤラー４２Ｃは、その電話番号信号を電話回線１０１用のダイヤル信号に変換して、スピーチネットワーク４２Ｄに送る。
【００８６】
スピーチネットワーク４２Ｄは、増幅器４１Ｄからの音声信号およびダイヤラー４２Ｃからのダイヤル信号を整合を取りながらスイッチ回路４４Ｂに送る。また、スピーチネットワーク４２Ｄは、スイッチ回路４４Ｂからの音声信号（電話の相手方からの音声信号）を整合を取りながら、音声送信部４３の増幅器４３Ａに送る。
【００８７】
音声送信部４３は、増幅器４３Ａ，４３Ｃ、ＦＭ変調器４３Ｂおよび音声用赤外発光素子４３Ｄを備える。増幅器４３Ａは、スピーチネットワーク４２Ｄからの低周波の音声信号を増幅する低周波増幅器であり、増幅した音声信号をＦＭ変調器４３Ｂに送る。
【００８８】
ＦＭ変調器４３Ｂは、周波数ｆ４の高周波の搬送波信号を発振する。このキャリア周波数ｆ４は、ハンディ型端末３のＦＭ変調器３１Ｃが使用するキャリア周波数ｆ３と異なるように設定されている。好ましくは、キャリア周波数ｆ３と数百ｋＨｚ程度離れているのが理想的である。
【００８９】
ＦＭ変調器４３Ｂは、増幅器４３Ａからの音声信号で搬送波信号を周波数変調し、中心周波数ｆ４の送信信号を生成する。この送信信号は増幅器４３Ｃを介して赤外発光素子４３Ｄに与えられ、これにより、赤外発光素子４３Ｄから赤外線信号ｇがハンディ型端末３に向けて送信される。
【００９０】
回線部４４は、モジュラージャック４４Ａ、スイッチ回路４４Ｂおよびトーンリンガ４４Ｃを備える。モジュラージャック４４Ａは、本体送受話器４に電話回線１０１を接続するためのジャックである。
【００９１】
スイッチ回路４４Ｂは、制御回路４２Ｂの制御により、モジュラージャック４４Ａをスピーチネットワーク４２Ｄもしくはトーンリンガ４４Ｃのいずれかに接続する。スイッチ回路４４Ｂは、常態においてモジュラージャック４４Ａをトーンリンガ４４Ｃに接続しており、電話回線１０１からの着信信号があった場合、トーンリンガ４４Ｃが鳴動して着信を知らせる。
【００９２】
次に、この実施例２の動作について説明する。まず、電源スイッチ３２Ｂをオンにして制御回路３３Ｃを動作状態とする。ハンディ型端末３をＴＶやＶＴＲのリモコンとして用いる場合、スイッチ３３Ｂをリモコンモードに設定する。この状態のときには、電源コントローラ３２Ｃは制御回路３３Ｃによりオフとされ、音声送信部３１と音声受信部３４とが動作停止状態になる。これにより、電池３２Ａの無用な消耗を防ぐことができる。
【００９３】
そして、使用者がキーマトリックス３３Ａを操作して、ＴＶやＶＴＲを動かすための押しボタンを押すと、制御回路３３Ｃがこのボタン操作を検出し、リモコン信号を生成する。制御回路３３Ｃは、そのリモコン信号をデータ送信用赤外発光素子３３Ｄから赤外線信号ｆとして発射させる。これにより、図示しないＴＶやＶＴＲが赤外線信号ｆによるリモコン信号にしたがって動作する。
【００９４】
これに対して、ハンディ型端末３を電話の子機として用いる場合には、スイッチ３３Ｂを操作して電話モードに切り替える。この電話モードが選択されることに伴ない、電源コントローラ３２Ｃは制御回路３３Ｃによりオンとされ、音声送信部３１と音声受信部３４とが動作状態になる。
【００９５】
これと同時に、制御回路３３Ｃから自動的にオフフック信号が出され、そのオフフック信号が赤外発光素子３３Ｄから送出される。このオフフック信号が本体送受話器４側の赤外受光素子４２Ａにて受光されると、その制御回路４２Ｂにより、スイッチ回路４４Ｂがスピーチネットワーク４２Ｄ側に切り替えられる。
【００９６】
そして、キーマトリックス３３Ａを操作して、呼び出す相手方の電話番号を入力すると、制御回路３３Ｃは、この電話番号に対応するデータ信号を生成し、赤外発光素子３３Ｄから赤外線信号ｆとして発射させる。この赤外線信号ｆによるデータ信号は、本体送受話器４側の赤外受光素子４２Ａにて受光され、制御回路４２Ｂは、そのデータ信号が示す電話番号をダイヤラー４２Ｃに送出する。
【００９７】
ダイヤラー４２Ｃは、その電話番号信号を電話回線１０１用の信号に変換し、トーンまたはパルス信号として、スピーチネットワーク４２Ｄ、スイッチ回路４４Ｂ、モジュラージャック４４Ａを介して電話回線１０１に送信する。送信した電話番号の相手方が電話機をオフフックすると、相手方との通話が可能な状態となる。
【００９８】
すなわち、使用者の声は、ハンディ型端末３のマイク３１Ａで電気信号に変換され、増幅器３１Ｂを介してＦＭ変調器３１Ｃに与えられる。ＦＭ変調器３１Ｃは、この音声信号で周波数ｆ３の搬送波信号を周波数変調し、中心周波数が周波数ｆ３の送信信号を生成し、増幅器３１Ｄを介して赤外発光素子３１Ｅに送る。これにより、赤外発光素子３１Ｅから中心周波数が周波数ｆ３である赤外線信号ｅが発射される。
【００９９】
この赤外線信号ｅは本体送受話器４側の赤外受光素子４１Ａにて受信され、次段のＦＭ復調器４１Ｂにおいて音声信号に再生される。この音声信号は、ボリューム４１Ｃ、増幅器４１Ｄ、スピーチネットワーク４２Ｄ、スイッチ回路４４Ｂおよびモジュラージャック４４Ａを介して電話回線１０１に送信される。
【０１００】
一方、相手方の音声信号は、電話回線１０１、スイッチ回路４４Ｂ、スピーチネットワーク４２Ｄおよび増幅器４３Ａを介してＦＭ変調器４３Ｂに入力される。ＦＭ変調器４３Ｂは、この音声信号で周波数ｆ４の搬送波信号を周波数変調し、中心周波数が周波数ｆ４の送信信号を生成し、その送信信号を増幅器４３Ｃを介して赤外発光素子４３Ｄに送る。これにより、赤外発光素子４３Ｄからハンディ型端末３に対して赤外線信号ｇが送信される。
【０１０１】
この赤外線信号ｇの中心周波数は周波数ｆ４であり、ハンディ型端末３が使用する周波数ｆ３と異なっている。このため、赤外線信号ｅと赤外線信号ｇとが同じタイミングで送信されても、２つの赤外線信号ｅ，ｇが互いに干渉することはない。
【０１０２】
赤外線信号ｇはハンディ型端末３の赤外受光素子３４Ａにて受信され、次段のＦＭ復調器３４Ｂにおいて音声信号に再生される。この受信音声信号は、ボリューム３４Ｃを経て増幅器３４Ｄに送られ、スピーカ３４Ｅから放音される。これにより、使用者は相手の声を聞くことができる。
【０１０３】
また、受信音声信号はノイズ検出回路３４Ｆにも送られ、同ノイズ検出回路３４Ｆにてそれに含まれるノイズが監視される。すなわち、赤外線信号ｇが送信されていないときや、当該ハンディ型端末３の感度が低下したとき、ＦＭ復調器３４Ｂからいわゆる離調ノイズが発生する。
【０１０４】
ノイズ検出回路３４Ｆは、そのノイズを検出すると、ミュート回路３４Ｇに検出信号を送り、増幅器３４Ｄにミュートをかける。これにより、ＦＭ復調器３４Ｂからのノイズが増幅されて、スピーカ３４Ｅから出力されることを防ぐことができる。
【０１０５】
また、このミュート状態が所定時間継続すると、遅延タイマ３４Ｈがトリガー信号を制御回路３３Ｃに送る。制御回路３３Ｃは、トリガー信号を受け取ると、電源コントローラ３２Ｃをオフとする。これにより、音声送信部３１と音声受信部３４とが動作停止状態となり、電池３２Ａの無用な消耗を防ぐことができる。
【０１０６】
他方、外線からの着信があると、トーンリンガ４４Ｃが鳴動して着信を知らせる。この着信をハンディ型端末３にて受ける場合には、スイッチ３３Ｂを電話モードに切り替える。これにより、この実施例２では、制御回路３３Ｃから自動的にオフフック信号が出され、そのオフフック信号が赤外発光素子３３Ｄから送出される。
【０１０７】
このオフフック信号が本体送受話器４側の赤外受光素子４２Ａで受光されると、制御回路４２Ｂによりスイッチ回路４４Ｂがスピーチネットワーク４２Ｄ側に切り替えられ、相手方との通話可能な状態となる。なお、使用者が電話機１０２の近くにいてすぐに出られるときには、送受話器を取り上げてオフフックすればよい。
【０１０８】
また、この実施例２において、通話終了後に電話を切る場合には、スイッチ３３Ｂを例えばリモコンモードに切り替える。これにより、制御回路３３Ｃからオンフック信号が出され、これに基づいて本体送受話器４側の制御回路４２Ｂがスイッチ回路４４Ｂをトーンリンガ４４Ｃ側に切り替え、着信待ちの状態となる。
【０１０９】
このように、ハンディ型端末３と本体送受話器４との間で、赤外線を用いて音声を送受信するようにしたことにより、通信の秘密性を確保することができる。また、ハンディ型端末３が送信する赤外線信号ｅと、本体送受話器４が送信する赤外線信号ｇとがＦＭ変調され、かつ、赤外線信号ｅのキャリア周波数ｆ３が赤外線信号ｇのキャリア周波数ｆ４と異なるので、互いの干渉を防いで、高い品質で音声を送信することができる。
【０１１０】
さらには、特に病院の病室などにおいては、心電図測定器具などの周辺機器に電波障害を与えることなく、安心して使用することができる。なお、上記実施例２では、本体送受話器４に対してハンディ型端末３を１台としているが、実施例１のように、ハンディ型端末３を複数台としてもよい。
【０１１１】
【発明の効果】
以上説明したように、本発明によれば、周波数変調した音声信号を赤外線を用いて双方向で通信するようにしたことにより、電波通信のように盗聴、傍受されることがなく、秘話性を確実に保つことができるばかりでなく、室内の周辺機器に対しても電波障害などの悪影響を与えることがない。
【０１１２】
また、本発明によれば、音声信号の送信するにあたって、それぞれ異なる周波数の搬送波信号を音声信号にて周波数変調するようにしたことにより、音声信号を送信する赤外線が同時に送信されても、赤外線が互いに干渉することを防ぐことができる。
【０１１３】
さらに、本発明によれば、光にて双方向通信が可能なコードレス電話システムを構築することができる。その場合において、端末装置のモードを切り替えることにより、端末装置をリモコンとしても使用することができる。
【図面の簡単な説明】
【図１】  本発明の実施例１の概略を示す構成図。
【図２】  実施例１の出席者用送受信装置および議長用送受信装置の概略を示すブロック図。
【図３】  実施例１の出席者用送受信装置の詳細な構成を示すブロック図。
【図４】  実施例１の議長用送受信装置の詳細な構成を示すブロック図。
【図５】  実施例１の議長用送受信装置の表示器のボタン配置を示す外観図。
【図６】  本発明の実施例２の概略を示す構成図。
【図７】  実施例２のハンディ型端末の詳細な構成を示すブロック図。
【図８】  実施例２の本体送受話器の詳細な構成を示すブロック図。
【符号の説明】
１１，…，１ｎ  出席者用送受信装置（子局）
１１  音声送信部
１２  電源部
１３  音声受信部
１４  制御部
２  議長用送受信装置（親局）
２１  音声受信部
２２  音声送信部
２３  制御部
【図１】
0003781234.tif 000002
【図２】
0003781234.tif 000003
【図３】
0003781234.tif 000004
【図４】
0003781234.tif 000005
【図５】
0003781234.tif 000006
【図６】
0003781234.tif 000007
【図７】
0003781234.tif 000008
【図８】
0003781234.tif 000009